(57)【要約】【課題】種々の撮影状況において簡易かつ適切に対応可能な撮像装置を提供する。【解決手段】撮像装置は、モニタ部１１を備えたカメラ本体部１と、撮像光学系Ｌを備えたレンズ鏡筒部２およびレンズ本体部３と、カメラ本体部１とレンズ本体部３との間に設けられ、レンズ本体部３をカメラ本体部１に対して回転可能に支持する回動部８と、カメラ本体部１に取り付けられた吸着部１２ａ〜１２ｃと、カメラ本体部１に対して移動可能に連結され、吸着部１２ａ〜１２ｃを覆うカバー部４とを有する。【選択図】図１
2014146880.tif 000002
【特許請求の範囲】
【請求項１】
表示部を備えた第一の筐体と、
撮像光学系を備えた第二の筐体と、
前記第一の筐体と前記第二の筐体との間に設けられ、該第二の筐体を該第一の筐体に対して回転可能に支持する回動部と、
前記第一の筐体に取り付けられた吸着部と、
前記第一の筐体に対して移動可能に連結され、前記吸着部を覆う蓋部材と、を有することを特徴とする撮像装置。
【請求項２】
前記蓋部材は、前記第一の筐体に対して、前記吸着部を覆う第一の位置と該吸着部を露出させる第二の位置との間で移動可能に連結されていることを特徴とする請求項１に記載の撮像装置。
【請求項３】
前記蓋部材には、第二の吸着部が取り付けられており、
前記第一の筐体には、前記蓋部材が前記第一の位置にある場合に前記第二の吸着部を収容する凹部が形成されていることを特徴とする請求項２に記載の撮像装置。
【請求項４】
前記吸着部と前記第二の吸着部は、前記蓋部材が前記第一の位置にある場合に干渉しないように互いにずれて配置されていることを特徴とする請求項３に記載の撮像装置。
【請求項５】
前記第二の筐体は、前記回動部の回転により、前記第一の筐体に対して第一の回動位置と第二の回動位置との間で回転可能であり、
前記第二の筐体が前記第一の回動位置にある場合、前記第一の筐体、該第二の筐体、および、前記吸着部を覆った状態の前記蓋部材は、直方体形状を形成し、
前記第二の筐体が前記第二の回動位置にある場合、前記蓋部材を移動させて前記吸着部を露出させることが可能であり、かつ、被写体像を取り込む開口部が前記第一の筐体の端部の外側に位置するように構成されていることを特徴とする請求項１乃至４のいずれか１項に記載の撮像装置。
【請求項６】
前記第二の筐体の前記開口部は、前記第二の筐体に対して回転可能に構成されていることを特徴とする請求項５に記載の撮像装置。
【請求項７】
前記回動部の回転中心は、前記表示部の画面と水平な面方向において、該表示部の画面中心からずれた位置にあることを特徴とする請求項１乃至６のいずれか１項に記載の撮像装置。
【請求項８】
前記回動部の回転中心は、前記第一の筐体の厚さ方向において、該第一の筐体の厚さ方向の中心位置からずれた位置にあることを特徴とする請求項１乃至７のいずれか１項に記載の撮像装置。
【請求項９】
前記表示部と前記吸着部は、前記第一の筐体の互いに反対側の面に配置されていることを特徴とする請求項１乃至８のいずれか１項に記載の撮像装置。
【請求項１０】
前記吸着部は、粘着性を有するゲル状部材からなることを特徴とする請求項１乃至９のいずれか１項に記載の撮像装置。
【発明の詳細な説明】
【技術分野】
【０００１】
本発明は、カメラ本体部に対してレンズ本体部が回転可能な撮像装置に関する。
【背景技術】
【０００２】
従来から、カメラ本体部に対してレンズ本体部（撮像部）が回転可能な機構を有する撮像装置が提案されている。例えば、通常時にはフラット形状を形成することで撮像装置を携行する際に便利である。一方、カメラ本体部に対して撮像部を回転させた場合には、ハイアングルやローアングルなどの様々なアングルからの撮影が可能となる。また、集合写真において撮影者自身も写真に写りたいという要求や、夜景を手軽に撮影したいという要求がある。しかし、三脚などを常に携行することは望まれていない。
【０００３】
特許文献１には、カメラ本体部（操作部）とレンズ本体部（撮像部）とを備え、レンズ本体部がカメラ本体部に対して回転可能に支持された構造を有する電子カメラが開示されている。特許文献１に開示された電子カメラによれば、通常時にはフラット形状を形成する一方、撮影時には撮像部を回転させることにより、ハイアングル撮影やローアングル撮影が楽な姿勢で可能である。
【先行技術文献】
【特許文献】
【０００４】
【特許文献１】特許第４３７８１３３号
【発明の概要】
【発明が解決しようとする課題】
【０００５】
しかしながら、従来の構成においても、集合写真の撮影や、夜景撮影などのスローシャッター撮影を行う場合には三脚などを用いる必要があり、三脚などを携行しなければならない。このため、種々の撮影状況に応じた撮影を簡易に行うことは困難である。
【０００６】
そこで本発明は、種々の撮影状況において簡易かつ適切に対応可能な撮像装置を提供する。
【課題を解決するための手段】
【０００７】
本発明の一側面としての撮像装置は、表示部を備えた第一の筐体と、撮像光学系を備えた第二の筐体と、前記第一の筐体と前記第二の筐体との間に設けられ、該第二の筐体を該第一の筐体に対して回転可能に支持する回動部と、前記第一の筐体に取り付けられた吸着部と、前記第一の筐体に対して移動可能に連結され、前記吸着部を覆う蓋部材とを有する。
【０００８】
本発明の他の目的及び特徴は、以下の実施例において説明される。
【発明の効果】
【０００９】
本発明によれば、種々の使用状況において簡易かつ適切に対応可能な撮像装置を提供することができる。
【図面の簡単な説明】
【００１０】
【図１】本実施例における撮像装置の外観図である。
【図２】本実施例における撮像装置のカバー部を開いた状態を示す図である。
【図３】本実施例における撮像装置により手持ち撮影を行っている状態を示す図である。
【図４】本実施例における撮像装置により自分撮り撮影を行っている状態を示す図である。
【図５】本実施例における撮像装置を壁面や窓ガラスに設置している状態を示す図である。
【図６】本実施例における撮像装置を電柱や建物の角に設置している状態を示す図である。
【図７】本実施例における撮像装置を机上に設置している状態を示す図である。
【図８】本実施例における撮像装置を手すりに設置している状態を示す図である。
【図９】本実施例における撮像装置のブロック図である。
【発明を実施するための形態】
【００１１】
以下、本発明の実施例について、図面を参照しながら詳細に説明する。各図において、同一の部材については同一の参照番号を付し、重複する説明は省略する。
【００１２】
まず、図１および図２を参照して、本実施例における撮像装置の構成について説明する。図１は、本実施例における撮像装置を六方向から見た外観図であり、図１（ａ）〜（ｆ）は、それぞれ、本実施例における撮像装置の上面図、左側面図、正面図、右側面図、裏面図、底面図である。本実施例において、図１に示される状態が撮像装置の基準形態であり、この基準形態において、撮像装置はフルフラットな形状（略直方体形状）を形成している。また図２は、撮像装置のカバー部４をカメラ本体部１に対して開いた状態を示す図である。
【００１３】
図１において、１はカメラ本体部である。カメラ本体部１は、第一の筐体を構成する。カメラ本体部１の背面側（裏面側）には、被写体像を表示するモニタ部１１（表示部）が設けられている。カメラ本体部１の内部には、主に映像の処理や撮像装置の機能を実行する処理回路部（システム構成部）、および、バッテリ（電源）や映像記録媒体などを備えている。２はレンズ鏡筒部である。レンズ鏡筒部２は、主に、撮影レンズ部２ａ（撮像光学系）およびフラッシュ撮影のための発光部２ｂが内蔵されている。また、レンズ鏡筒部２には、被写体像（被写体光）を取り込む開口部が形成されている。３はレンズ本体部である。レンズ本体部３は、レンズ鏡筒部２をパンニング方向に回転可能に支持し、主に、レンズ鏡筒部２の機能を実行する処理回路などが内蔵されている。レンズ鏡筒部２およびレンズ本体部３は、第二の筐体が構成される。本実施例において、レンズ鏡筒部２（の開口部）は、第二の筐体の一部であるレンズ本体部３に対して回転可能に構成されている。
【００１４】
図１（ａ）〜（ｆ）は、カメラ本体部１の厚さＴｈの範囲内にレンズ鏡筒部２およびレンズ本体部３の厚さが（実質的に）収まり、かつ、カメラ本体部１の高さＨｔの範囲内にレンズ鏡筒部２およびレンズ本体部３の高さが（実質的に）収まっている状態を示す。このように、図１（ａ）〜（ｆ）には、全体としてフルフラットな形状を有する撮像装置が示されている。このとき、レンズ鏡筒部２およびレンズ本体部３（第二の筐体）は、カメラ本体部１（第一の筐体）に対して、第一の回動位置（図１（ｄ）における指示の０°）にある。本実施例において、撮像装置のこの状態を基準形態と称する。
【００１５】
４はカバー部（蓋部材）である。カバー部４は、カメラ本体部１に対して移動可能に（回転可能に）連結（支持）され、後述の吸着部を覆って保護するように構成されている。５は撮像装置の各部位に電源を供給するための電源部（電源ボタン）、６はシャッタボタン、７はズームレバーである。８は回動部（第一の回動部）である。回動部８は、カメラ本体部１（第一の筐体）とレンズ本体部３（第二の筐体）との間に設けられ、レンズ本体部３をカメラ本体部１に対して回転可能に支持する。９はレンズ鏡筒部２をレンズ本体部３に対して回転可能に支持する回動部（第二の回動部）である。１０は、カバー部４をカメラ本体部１に対して開閉可能に保持するヒンジ部である。１１は、画像（被写体像）を表示するモニタ部である。モニタ部１１は、例えばタッチ操作が可能なタッチパネルを備えている。回動部８は、回転軸Ｔ（第一の回転軸）を中心として回転可能に構成されている。このため、回動部８の回転により、レンズ鏡筒部２およびレンズ本体部３は、第一の回転軸Ｔを回転中心として、カメラ本体部１に対して図１（ｄ）中の矢印方向に１８０°回転することが可能である（図１（ｄ）は回転角度０°の状態を示している）。
【００１６】
また、図１（ｃ）、（ｄ）、（ｅ）に示されるように、回動部８（回動部８の回転中心である第一の回転軸）は、モニタ部１１の画面と水平な面方向において画面中心Ｏ１から距離Ｓ１だけオフセットした位置（ずれた位置）にある。また回動部８（回動部８の回転中心である第一の回転軸）は、カメラ本体部１の厚さ方向（モニタ部１１の画面と直交する方向）において、その厚さ方向の中心線Ｏ２（中心位置）から距離Ｓ２だけオフセットした位置（ずれた位置）にある。
【００１７】
ここで、回動部８の回転中心から撮影レンズ部２ａの中心までの距離をＬＰ１、回動部８の回転中心からカバー部４の下端部までの距離をＬＰ２とする。また、回動部８の回転中心からレンズ本体部３の最外形部（裏面側の最外形部）までの距離をＬＰ３、回動部８の回転中心からカバー部４を１８０°回転させた場合におけるカバー部４の最外形部までの距離をＬＰ４とする。なお、距離ＬＰ４は、回動部８の回転中心からレンズ本体部３の最外形部（表面側の最外形部）までの距離に実質的に等しい。このとき、ＬＰ１＞ＬＰ２かつＬＰ３＜ＬＰ４が成立するように設計される。
【００１８】
レンズ鏡筒部２は、回動部９が回転軸Ｐ（第二の回転軸）を中心として回転することにより、レンズ本体部３に対して図１（ａ）中の矢印方向（右側に示される矢印）に±１８０°回転可能に構成されている。カバー部４は、ヒンジ部１０が回転軸Ｈ（第三の回転軸）を中心として回転することにより、カメラ本体部１に対して図１（ａ）中の矢印方向（左側に示される矢印）に、最大で１８０°回転可能に構成されている。
【００１９】
図２は、撮像装置のカバー部４をカメラ本体部１に対して開いた状態を示している。吸着部１２ａ、１２ｂ（第一の吸着部）は、カメラ本体部１に取り付けられている。また、吸着部１２ｃ（第二の吸着部）は、カバー部４に取り付けられている。吸着部１２ａ、１２ｂ、１２ｃは、カバー部４が閉じ切ったときに吸着部１２ａ、１２ｂ（第一の吸着部）と吸着部１２ｃ（第二の吸着部）とが干渉しないように、上下に互いにずらして配置されている。ただし本実施例はこれに限定されるものではなく、各吸着部を左右にずらして配置してもよい。また、吸着部の数も限定されるものではない。
【００２０】
１ａは、カメラ本体部１に形成された凹部である。凹部１ａは、カバー部４を閉じた際に、カバー部４に取り付けられた吸着部１２ｃのニゲ部（吸着部１２ｃを収容するための収容部）として設けられている。４ａ、４ｂは、カバー部４に形成された凹部である。凹部４ａ、４ｂは、カバー部４を閉じた際に、カメラ本体部１に取り付けられた吸着部１２ａ、１２ｂのそれぞれのニゲ部として設けられている。本実施例において、吸着部１２ａ、１２ｂ、１２ｃは、シリコンなどを原料とし、所定の厚さの粘着性を有するゲル状部材を用いている。ただし本実施例はこれに限定されるものではなく、他の部材を用いて吸着部を構成してもよい。また、カバー部４を閉じることにより、吸着部１２ａ、１２ｂ、１２ｃを使用しない場合のゲル状部材への不要なゴミなどの付着を低減することができる。
【００２１】
本実施例において、カバー部４は、カメラ本体部１に対して、吸着部１２ａ〜１２ｃを覆う第一の位置と吸着部１２ａ〜１２ｃを露出させる第二の位置との間で移動可能に連結されている。第一の位置は、図１に示される位置であり、第二の位置は、例えば図２に示される位置である。また第二の位置は、カメラ本体部１に対して１８０°回転させた位置に限定されるものではなく、０〜１８０°の任意の角度に設定可能である。また本実施例において、モニタ部１１と吸着部１２ａは、カメラ本体部１の互いに反対側の面に配置されている。
【００２２】
次に、図３乃至図８を参照して、本実施例における撮像装置の種々の使用例（使用状況または設置状況）について説明する。図３は、本実施例における撮像装置の基準形態において、手持ち撮影（通常の撮影）を行う場合の使用例であり、図３（ａ）は横位置撮影、図３（ｂ）は縦位置撮影の場合をそれぞれ示している。本実施例の撮像装置は、フルフラットな形状を有するため、一般のカメラと同様に、携帯や取り扱いが容易である。
【００２３】
図４は、いわゆる自分撮り撮影を行っている状態を示す図である。この状態では、撮像装置のレンズ本体部３を基準形態から１８０度だけ回転させ、カメラ本体部１を上下逆に把持している。自分撮り撮影では、撮影者側を向いているモニタ部１１に表示された画像によりフレーミングを確認しながら撮影を行う。図４に示されるように、カメラ本体部１の高さの範囲から、レンズ鏡筒部２が上側に突出している。また、カメラ本体部１の厚さの範囲から、レンズ鏡筒部２およびレンズ本体部３がはみ出している。このとき、レンズ本体部３は、カメラ本体部1に対して、図１に示される状態から約１８０°回転した位置（第二の回動位置）にある。このように、レンズ本体部３（第二の筐体）は、回動部８の回転により、カメラ本体部１（第一の筐体）に対して第一の回動位置と第二の回動位置との間で回転可能である。
【００２４】
レンズ本体部３が第一の回動位置にある場合、図１（ａ）〜（ｆ）に示されるように、カメラ本体部１、レンズ鏡筒部２、レンズ本体部３、および、吸着部１２ａ〜１２ｃを覆った状態のカバー部４は、直方体形状（略直方体形状）を形成する。ここで、「略直方体形状」とは、厳密な直方体形状だけでなく、実質的に直方体形状であると評価される形状をも含む意味である。また本実施例において、レンズ本体部３が第二の回動位置にある場合、カバー部４を移動させて吸着部１２ａ〜１２ｃを露出させることが可能であり、かつ、被写体像を取り込む開口部がカメラ本体部１の端部（上端部）の外側（図４中の上側）に位置する。
【００２５】
回動部８の位置は、モニタ部１１の画面と水平な面方向において画面中心からオフセットされた位置にあり、カメラ本体部１の厚さ方向において、その厚さ方向の中心位置よりもオフセットされた位置にある。このため、レンズ鏡筒部２はカメラ本体部１の最外形部から突出した位置にあり、その位置でパンニングなどを行っても、カメラ本体部１により被写体光（被写体像）がケラレることはない。
【００２６】
ここで、レンズ本体部３は１８０°だけ回転しているため、基準形態（回転角度０°）に対して、撮像素子上に結像される画像の上下の位置が逆になる。ただしこの場合、不図示の検知手段を用いてレンズ本体部３とカメラ本体部1との位置関係を検知することにより、撮像装置内の画像処理部（後述のカメラＣＰＵ１２１）で撮影画像を上下反転する処理を実行し、モニタ部１１に表示すればよい。またこのとき、シャッタボタン６、ズームレバー７などは、底面側に位置するため操作することができない。ただし、モニタ部１１に、シャッタボタン６やズームレバー７などの、いわゆるソフトボタン（不図示）を表示して操作すればよい。また、レンズ鏡筒部２のみを基準形態から１８０°回転させても自分撮り撮影は可能である。この場合、画像は左右逆になるため、上述と同様に、モニタ部１１に表示する画像を変更すればよい。
【００２７】
図５は、通常、三脚を必要とする撮影シーンにおいて、本実施例の撮像装置を、壁や窓などの平面部に直接設置し、セルフタイマーやリモコンなどにより撮影を行う場合を示す図である。図５（ａ）は、壁５１（壁面）から手前側の撮影者などの被写体を撮影する場合を示している。レンズ鏡筒部２およびレンズ本体部３を回動部８により１８０°回転させ、カバー部４をカメラ本体部１に対して１８０°開いた状態で、カメラ本体部１の吸着部１２ａ、１２ｂ、および、カバー部４の吸着部１２ｃを壁５１に押し付けて吸着させている。図５（ｂ）は、屋内からガラス越に外の風景、特に夜景などを撮影する場合を示している。図５（ｂ）において、撮像装置は、図５（ａ）の状態から更にレンズ鏡筒部２を回動部９により１８０°回転させて、窓ガラス５２に押し付けて吸着させている。
【００２８】
図５（ａ）、（ｂ）のいずれの場合も、回動部８の位置はモニタ部１１の画面と水平な面方向において画面中心からオフセットされた位置にあり、カメラ本体部１の厚さ方向において、その厚さ方向の中心位置よりもオフセットされた位置にある。このため、ＬＰ３＜ＬＰ４を満たすように設計することにより、レンズ本体部３を回転させる際、カバー部４は、レンズ鏡筒部２またはレンズ本体部３に機械的に干渉することなく、１８０°回転させることが可能である。
【００２９】
また、ＬＰ１＞ＬＰ２を満たすように設計することにより、レンズ本体部３を１８０°回転させた場合、レンズ鏡筒部２およびレンズ本体部３は、図５（ｂ）に示されるように、カバー部４よりも外側の上方へ突出する。すなわち、撮影レンズ部２ａは、その撮影範囲がカバー部４に遮蔽されないような位置まで移動する。このため、設置場所や被写体の位置の条件などに合わせて自由にレンズ鏡筒部２をパンニングさせても、撮影画角がカバー部４などにケラレることはない。
【００３０】
図５（ａ）、（ｂ）では、カバー部４を１８０°展開して平面の壁５１やガラス面（窓ガラス５２）に吸着させているが、カバー部４は０°から１８０°の間で自由に回転可能である。このため、図６（ａ）、（ｂ）に示されるように、本実施例の撮像装置は、平面の壁以外の部分にも設置が可能である。この場合にも、図５と同様に、回動部８の位置関係からレンズ鏡筒部２はカメラ本体部１の外形から突出している。
【００３１】
図６（ａ）は、本実施例における撮像装置を建物の柱６１（角部）に設置している状態を示す図である。図６（ａ）において、カバー部４をカメラ本体部１に対して約９０°開き、吸着部１２ａ、１２ｂおよび吸着部１２ｃを柱６１の異なる２平面にそれぞれ吸着させる。また、図６（ｂ）は、撮像装置を電柱などの円柱６２に設置している状態を示す図である。図６（ｂ）に示されるように、撮像装置を円柱６２に設置する場合、その円柱６２の直径に合せてカバー部４の角度（開き角度）を変更し、円柱６２の曲面の二箇所に各吸着部を吸着させる。
【００３２】
図７（ａ）、（ｂ）は、本実施例における撮像装置を机などの平面７１の上に設置している状態を示す図である。この場合も、図５と同様に、回動部８の位置関係から、レンズ鏡筒部２がカメラ本体部１の外形から突出している。図７（ａ）は、基準形態から、レンズ本体部３を１８０°回転させ、カメラ本体部１を上下逆にし、横位置撮影として、カバー部４を適宜開いて机などの平面７１の上に設置した状態を示している。この場合、吸着部は使用しない。本実施例において、カメラ本体部１はレンズ鏡筒部２およびレンズ本体部３の合計重量より重い。このため、カバー部４を開くことにより、撮像装置を安定して机などの平面７１の上に設置することができる。前述のように、被写体の配置によっては、レンズ鏡筒部２を回転させてパンニング方向の撮影範囲の調整が可能である。
【００３３】
図７（ｂ）は、図７（ａ）の状態から撮像装置を９０°回転させて縦位置撮影を行っている状態を示している。このとき、不用意にカバー部４が開かないように、カバー部４とカメラ本体部１との間にフリクションやクリックストップ位置を設けてもよい。また、図７（ａ）、（ｂ）の状態では、カメラ本体部１の底面やカバー部４の先端部など、平滑な机上などでも滑りにくいようにゴム部材などを貼ることも有効である。
【００３４】
図８は、本実施例における撮像装置を手すり８１に設置している状態を示す図である。カバー部４の開き角度を調整し、カメラ本体部１に取り付けら得た吸着部１２ａ、１２ｂ、および、カバー部４に取り付けられた吸着部１２ｃの二箇所の吸着部が円筒形状の手すり８１に吸着して固定される。これにより、カメラ本体部１は回転することなく、安定して設置される。この場合、レンズ鏡筒部２を回転させることにより、チルト方向（図８の上下方向）の撮影範囲の調整が可能となる。
【００３５】
以上のとおり、本実施例の撮像装置において、モニタ部１１を有するカメラ本体部１に対して、レンズ鏡筒部２、レンズ本体部３、および、カバー部４が移動可能（回転可能）に構成されている。このため、次のような代表的な効果を得ることができる。第一に、本実施例の撮像装置は、通常、フルフラットな形状となって携帯に便利である。第二に、撮影の際には、吸着部により種々の面に貼り付けて撮影することが可能であり、三脚などを携行する必要がない。第三に、カメラ本体部１とレンズ本体部３の回転軸が二方向（厚さ方向および高さ方向）でオフセットされた位置に設けられているため、回転させるとレンズ鏡筒部２がカメラ本体部１から突出する。このため、被写体光がケラレることなく、例えばガラスに貼り付けてガラスの透過撮影をすることが可能である。第四に、吸着部を備えたカバー部が移動可能（回転可能）であるため、平面部だけでなく、角柱、円柱、机上、手摺りなどにも安定して設置することが可能である。本実施例の撮像装置は、これらの各効果のうち少なくとも一つを達成することができる。
【００３６】
次に、図９を参照して、本実施例における撮像装置のシステム構成について説明する。図９は、撮像装置１００（撮像システム）のブロック図である。撮像装置１００は、撮像素子１２２を備えたカメラ本体部１２０（カメラ本体部１に相当）と、カメラ本体部１２０に一体的に組み込まれたレンズ部１１０（レンズ鏡筒部２およびレンズ本体部３に相当）を有する。レンズ部１１０内のレンズＣＰＵ１０１と、カメラ本体部１２０内のカメラＣＰＵ１２１（制御手段）とは、互いに接続されており、相互に信号のやり取りが可能である。レンズＣＰＵ１０１は、レンズ部１１０内の動作を制御する。
【００３７】
Ｌ１〜Ｌ４はレンズユニットである。レンズユニットＬ１、Ｌ４は、固定のレンズユニットである。レンズユニットＬ２は、変倍用のレンズユニットである。レンズユニットＬ３は、フォーカスレンズユニットである。レンズユニットＬ２は、レンズＣＰＵ１０１の制御信号を受けたズーム駆動回路１１１からの出力を受けて、光軸方向（Ｘ方向）に移動可能である。これにより、撮像光学系の焦点距離を変化させることができる。レンズユニットＬ３は、光軸方向（Ｘ方向）に移動することにより、撮像光学系の焦点調節を行うことが可能である。
【００３８】
１０４は光量調節装置（絞り装置）である。複数の絞り羽根を光軸方向と略直交する面内で移動させることにより、光が通過する口径を変化させる。レンズＣＰＵ１０１からの制御信号を受けた絞り駆動回路１０８は、光量調節装置１０４を駆動する。レンズユニットＬ１〜Ｌ４および光量調節装置１０４により、撮像光学系Ｌが構成される。被写体１５０の像（被写体像）は、レンズ部１１０の撮像光学系Ｌを通過し、カメラ本体部１２０の撮像素子１２２に入射する。
【００３９】
１０２は操作スイッチである。操作スイッチ１０２は、マニュアル操作によるズーミングおよびフォーカシング、絞り値の設定、オートフォーカスおよびマニュアルフォーカスの切り換えなどを行うために操作される。１０３は、焦点調節を行うフォーカス駆動回路である。フォーカス駆動回路１０３は、レンズＣＰＵ１０１からの制御信号に基づいてレンズユニットＬ３を駆動する。フォーカス駆動モータの駆動によって回転する回転部材には、パルス発生ユニットが設けられている。パルス発生ユニットは、回転部材の回転に応じたパルス信号をフォーカス駆動回路１０３へ出力する。レンズＣＰＵ１０１は、パルス発生ユニットから出力されたパルス信号を検出することで、レンズユニットＬ３の位置検出を行う。
【００４０】
１０９は焦点距離検出回路である。焦点距離検出回路１０９は、変倍用のレンズユニットＬ２の位置を検出することにより、撮像光学系Ｌの焦点距離を検出する。焦点距離検出回路１０９は、例えば、レンズユニットＬ２の位置を３２分割しているグレーコードパターンを用いて検出する。なお、レンズＣＰＵ１０１の内部に設けられたメモリ（記憶部）には、レンズ部１１０の焦点距離情報、レンズユニットＬ３の移動量に対する撮像素子１２２の面上のピント移動量（フォーカス敏感度）などが、分割された焦点距離ごとに格納されている。
【００４１】
レンズ部１１０の撮像光学系Ｌを通過した被写体光（被写体像）は、撮像素子１２２の撮像面（受光面）に結像する。撮像素子１２２は、ＣＣＤやＣＭＯＳなどの光電変換素子を備えて構成されており、光学像（被写体像）を光電変換して電気信号に変換する。撮像素子１２２から読み出された信号は、増幅処理およびＡ／Ｄ変換処理が行われた後、デジタル映像信号としてカメラＣＰＵ１２１に出力される。本実施例の撮像装置１００は、このデジタル映像信号を用いて、動画像または静止画像を形成する。
【００４２】
デジタル映像信号は、カメラＣＰＵ１２１に出力されるだけでなく、ＡＦ処理回路１２９（オートフォーカス処理回路）にも出力される。ＡＦ処理回路１２９にデジタル映像信号が入力されると、一画面分の画像データにおける高周波成分がハイパスフィルタ（ＨＰＦ）などを介して抽出され、この高周波成分に対して累積加算などの演算処理が行われる。これにより、高域側の輪郭成分量などに対応するＡＦ評価値が算出される。そして、このＡＦ評価値がピークを示す位置までレンズユニットＬ３を移動させることで、いわゆるコントラスト検出方式による焦点検出を行うことができる。ＡＦ処理回路１２９で算出されたＡＦ評価値は、カメラＣＰＵ１２１に出力される。
【００４３】
撮像装置１００における焦点調節動作は、コントラスト検出方式と、レンズＣＰＵ１０１内に格納されているフォーカス敏感度の情報とに基づいて、レンズユニットＬ３を光軸方向（Ｘ方向）に移動させることによって行われる。なお、コントラスト検出方式による焦点調節は公知の技術であるため、詳細な説明は省略する。
【００４４】
１２４は、二段スイッチで構成されたレリーズスイッチ（前述のシャッタボタン６に相当）である。レリーズスイッチ１２４は、測光、焦点検出、および、合焦動作などの撮影準備動作を開始させるためのスイッチ（ＳＷ１）と、撮像素子１２２への露光を開始させるためのスイッチ（ＳＷ２）とを有する。レリーズスイッチ１２４の出力信号は、カメラＣＰＵ１２１に入力され、カメラＣＰＵ１２１は入力信号に応じた動作を行う。
【００４５】
カメラＣＰＵ１２１は、表示ユニット１２５（前述のモニタ部１１に相当）の駆動制御を行う。またカメラＣＰＵ１２１は、撮影モードなどの各種設定を行うために表示ユニット１２５へのタッチ操作により設定を行う設定スイッチ１２６からの入力に対応した制御動作を行う。またカメラＣＰＵ１２１は、撮像装置１００の姿勢を検出する姿勢検出回路１２７からの出力に対応した表示ユニット１２５の表示制御、および、電源１２８の残り容量のチェックや電力の分担などの制御を行う。表示ユニット１２５には、例えば、撮像素子１２２を用いて撮影された動画像や静止画像が表示される。１２３は、カメラ本体部１２０に対して着脱可能な記録媒体に映像信号を記録させるための記録回路である。また本実施例において、カメラＣＰＵ１２１には各種バッファメモリが含まれている。
【００４６】
このように、本実施例によれば、種々の撮影状況において簡易かつ適切に対応可能な撮像装置を提供することができる。本実施例の撮像装置は、例えば、通常、フルフラットな形状となって携帯に便利である。また、撮影の際には、吸着部により種々の面に貼り付けて撮影することが可能であり、三脚などを携行する必要がない。また、カメラ本体部とレンズ本体部の回転軸が二方向（厚さ方向および高さ方向）でオフセットされた位置に設けられているため、回転させるとレンズ鏡筒部がカメラ本体部から突出する。このため、被写体光がケラレることなく、例えばガラスに貼り付けてガラスの透過撮影をすることが可能である。また、吸着部を備えたカバー部が移動可能（回転可能）であるため、平面部だけでなく、角柱、円柱、机上、手摺りなどにも安定して設置することが可能である。
【００４７】
以上、本発明の好ましい実施形態について説明したが、本発明はこれらの実施形態に限定されず、その要旨の範囲内で種々の変形及び変更が可能である。
【符号の説明】
【００４８】
１  カメラ本体部
２  レンズ鏡筒部
３  レンズ本体部    
４  カバー部
８  回動部
１１  モニタ部
１２ａ、１２ｂ、１２ｃ  吸着部
【図１】
2014146880.tif 000003
【図２】
2014146880.tif 000004
【図３】
2014146880.tif 000005
【図４】
2014146880.tif 000006
【図５】
2014146880.tif 000007
【図６】
2014146880.tif 000008
【図７】
2014146880.tif 000009
【図８】
2014146880.tif 000010
【図９】
2014146880.tif 000011